(57)【要約】      （修正有） 【課題】化粧料の取り出しに便利なチューブ式化粧品容器の構造を提供する。【解決手段】化粧料を収納する貯液容器１０と、貯液容器１０の開口端内に挿設する擦り落とし部材１１と、綿ブラシ頭部２１を結合し貯液容器１０内に挿入して取り付けるブラシ軸部材２０と、貯液容器１０の一端を覆う外キャップ３１とを含み、貯液容器１０は、チューブの材質を用いて、中空で押し出すことのできるように構成し、ブラシ軸部材２０はＴ字状を呈する軸状に形成し、比較的太い環状の軸頭部を有し、内部に凹状に窪む凹溝孔２２を形成し、その凹溝孔の形状の底端がブラシ軸部材２０の上半部の面に貫通し、かつＴ字状の軸頭部上端に綿ヘッド部材２７を挿入して取り付け、外側は中キャップ部材３０を設けて覆い、Ｔ字状の底端に綿ブラシ頭部２１を設けてブラシ軸部材２０の上下端にそれぞれ化粧用の綿ヘッド部材２７と綿ブラシ頭部２１とを取り付け、外キャップ３１はＵ字状を呈して覆う部材であって、中キャップ部材３０の外側に螺着する。【選択図】図１
0003213878.tif 000002
【実用新案登録請求の範囲】
【請求項１】
化粧料を収納する貯液容器と、該貯液容器の開口端内に挿設する擦り落とし部材と、綿ブラシ頭部を結合し該貯液容器内に挿入して取り付けるブラシ軸部材と、該貯液容器の一端を覆う外キャップとを含み、
該貯液容器は、チューブの材質を用いて、中空で押し出すことのできる流動体収納容器の状態に構成し、
該ブラシ軸部材はＴ字状を呈する軸状に形成し、比較的太い環状の軸頭部を有し、内部に凹状に窪む凹溝孔を形成し、その凹状に窪んだ孔の形状の底端が該ブラシ軸部材の上半部の面に貫通し、かつＴ字状の軸頭部上端に綿ヘッド部材を挿入して取り付け、外側は中キャップ部材を設けて覆い、Ｔ字状の底端に綿ブラシ頭部を設けて該ブラシ軸部材の上下端にそれぞれ化粧用の綿ヘッド部材と綿ブラシ頭部とを取り付け、
該外キャップはＵ字状を呈して覆う部材であって、該中キャップ部材の外側に螺着し、完全なチューブ式化粧品容器の構造を構成するために供し、
該中キャップ部材を回転させて該貯液容器の開口端から出すことで、手に持って該綿ブラシ頭部を化粧に使用し、該中キャップ部材を該貯液容器開口部に螺着した後、該外キャップを開放し、直接貯液瓶を押圧することで化粧料を該ブラシ軸部材の上端の綿ヘッド部材に流動させて直接化粧料を取り出して塗布する化粧の操作ができるようにすることで、異なる化粧に対して操作を変換できるようにすることを特徴とするチューブ式化粧品容器の構造。
【請求項２】
前記ブラシ軸部材のＴ字状の軸頭部内に凹溝孔を形成して階段状に形成し、階段状の孔の底端に弾性を具えるバルブセットを設けて該凹溝孔と該貯液容器内部との連通を制御することを特徴とする請求項１に記載のチューブ式化粧品容器の構造。
【請求項３】
前記バルブセットが、転動体に弾性体を組み合わせて、押し出して階段状の孔の口を閉塞する位置決め部材を具えることを特徴とする請求項２に記載のチューブ式化粧品容器の構造。
【請求項４】
前記ブラシ軸部材のＴ字状の上端の凹溝孔の上端の孔口部の外側に、中央に流動ガイド孔を具える位置決め部材を挿設して綿ヘッド部材の取り付けに供することを特徴とする請求項１に記載のチューブ式化粧品容器の構造。
【請求項５】
前記ブラシ軸部材のＴ字状の上端の凹溝孔中央において、直接流動ガイド孔が延伸して突起し、挿設される綿ヘッド部材の上半部の箇所に至り、化粧料を直接ガイドして流出させるために供することを特徴とする請求項１に記載のチューブ式化粧品容器の構造。
【請求項６】
前記外キャップのＵ字状の内部底面中央に突起した栓軸部材を形成し、流動ガイド孔に挿入して閉塞することを特徴とする請求項１に記載のチューブ式化粧品容器の構造。
【考案の詳細な説明】
【技術分野】
【０００１】
この考案は、容器の構造に関し、特にチューブ式の化粧品容器の構造に関する。
【背景技術】
【０００２】
従来の一般的な化粧具の包装容器の設計は、通常、硬質の管状か、又は硬質の箱状の容器に設計されている。その要因は、主に化粧のため使用する場合、化粧具に付着させて取り出すための利便性と、手に持った場合の安定性と安全な操作性を考慮したことにある。然しながら、硬質の容器に設計することは、実際に携帯する場合、又は使用する上で明らかに不便であり、しかも空間を占める。そこで、如何にして化粧容器を例えば一般的な練り歯磨きを収納するチューブ式容器の押し出す操作が得られるように設計にし、それによって体積の適宜な縮小を果たすか、さらには化粧の際の操作性を便利にし、かつ充填と収納、包装の安全性に対するニーズを満たすことも兼ね備え、また如何にして従来の一般的な付着させて塗布する化粧具を異なる取り出し状態に変換できるように設計し、化粧品の使用時の取り出しの利便性と実用性に係るニーズに応えるかがポイントである。
【考案の概要】
【考案が解決しようとする課題】
【０００３】
本考案者が積極的に研究開発し、改良設計を行なってきた主な要因は上述するとおりであって、即ち、本考案者は上述する従来の化粧具の使用と製造が、実際の化粧料の取り出し状況と携帯、包装に即しているとは言えない点に鑑み、チューブ部材の容易に押し出して取り出すことのできる便利さを総合的に運用して設計に改良を加え、ついにこの考案のチューブ式系商品容器の構造を開発した。詳しくは、化粧料を押し出して取り出すのに便利であって、化粧具に合わせて内、外異なる組み合わせをすることができ、異なる化粧のニーズに応え、化粧料の取り出しに便利なチューブ式化粧品容器の構造を提供することを課題とする。
【課題を解決するための手段】
【０００４】
この考案は、貯液容器をチューブ部材で製造し、これに合わせ、中間部に中キャップ部材を螺着してブラシ軸部材を取り付け、ブラシ軸部材の上半部を中空にして流動ガイド孔を形成してブラシ軸部材を上端に取り付けるために供し、かつ貯液容器の底端の挿入に供し、それぞれ化粧用の綿ブラシ頭部を設けることで、化粧容器を押圧して化粧料を押し出すか、化粧料を付着させるか、異なる使用に対応させ、化粧具を固定して使用する様式が実用性に欠けるという欠点を効率よく改善する。
【０００５】
この考案では、チューブ状の貯液容器に合わせ、開口部に硬質の中キャップ部材を螺着し、ブラシ軸部材を取り付け、ブラシ軸部材上半部を中空にして流動ガイド孔を形成し、貯液容器に収納した化粧料がブラシ軸部材の上端に取り付けられた化粧用の綿ヘッド部材に流れるようにし、直接塗布する化粧に使用できるようにし、かつ従来のようにブラシ軸部材を取り出して、化粧料を付着させて化粧に使用できるようにすることで、単一の化粧容器による多元化粧への使用を達成し、実用的な効果を得るという目的を達成する。
【図面の簡単な説明】
【０００６】
【図１】この考案による化粧容器の構造を示した分解図である。
【図２】この考案による化粧具の使用態様を示した説明図である。
【図３】この考案による化粧具の外キャップを閉じた状態の構造を示した断面図である。
【図４】この考案による化粧具の付着式の化粧に使用する状態の断面構造を示した説明図である。
【図５】この考案において、化粧料を押し出して使用する状態の断面構造を示した説明図である。
【図６】この考案による化粧具の他の実施の形態を示した分解図である。
【図７】図６に開示する化粧具の断面構造を示した説明図である。
【考案を実施するための形態】
【実施例】
【０００７】
この考案によるチューブ式化粧品容器の構造について、図１から図５を参照にして、その化粧品容器全体における主要な改良設計を述べると、この考案は化粧品容器の全体的な設計の改良であって、即ち、流体状の化粧料を充填した化粧具の使用を多様化した改良設計を提供するものであって、その構造は化粧料を収納する貯液容器１０と、及び化粧に使用するブラシ軸部材２０とブラシ軸部材２０上に設けられて化粧料の塗布に使用される綿ブラシ頭部２１とを具える化粧具部分と、容器の口の封止とブラシ軸部材２０の把持を便利にするために供する外キャップ３０とを含む。
【０００８】
貯液容器１０はチューブ容器を製造する材質によってなり、例えば、一般的な練り歯磨きを収納する容器に類似した軟質の材料によって製造し、押し出す操作ができるようにする。貯液容器１０の開口端内に、貯液容器１０内部に向ってＵ字状の擦り落とし部材１１を挿設し、貯液容器１０の開口端の端縁部に位置決めする。
【０００９】
ブラシ軸部材２０はＴ字状を呈し、ブラシ軸部材２０全体の底端には、化粧用の綿ブラシ頭部２１を設け固定し、貯液容器１０内に容易に挿入できるようにする。挿入すると、Ｔ字状端全体が擦り落とし部材１１のＵ字状端縁部に圧接する。ブラシ軸部材２０全体のＴ字状の太目の環状部の頭部端の内周部分に階段状の凹溝孔２２を形成する。その孔部は長手方向に延伸して軸体の上半部の適宜な位置に至り、かつ貫通して貯液容器１０の内周の空間に連通する。また、貯液容器１０に収納した化粧用の流体が連通する孔の口部から流出することを防ぐために、階段状の孔部の中央部分に簡易な弾性バルブを予め設けておく。一般的な構造としては、転動体２３に弾性体２４を組み合わせ、かつＴ字状の位置決め部材２５を内部に設ける。中央には流動ガイド孔２６を形成した化粧用の綿ヘッド部材２７を設けて挿入して組み立て、弾性体の適宜な付勢力で閉鎖することで貯液容器１０に収納した流体が溢れ出ることを防ぐ。
【００１０】
また、貯液容器１０の開口端の外周には硬質で管状の中キャップ部材３１を螺着するとともに、同期して組み立てた綿ヘッド部材２７全体を固定する。さらに中キャップ部材３１の一端の外周には外キャップ３０を螺着して閉鎖する。また、Ｕ字状の外キャップ３０の内部のＵ字状の底部中央であって、綿ヘッド部材２７内に設けた位置決め部材２５の中央の流動ガイド孔２６に対応する位置には、突起して適宜な長さに延伸する栓軸部材３２を形成し、蓋を被せた場合に、流動ガイド孔２６の出口端に直接挿入されて塞ぐために供する。よって、ブラシ軸部材２０を組み立てて、化粧の際に手に持って使用する場合の把持する軸面を形成し、中キャップ部材３１と外キャップ３０を取り付けることで閉鎖構造を形成して、安全な充填、取り出しが得られる化粧具の構造を構成する。
【００１１】
化粧容器全体を使用する場合、使用する化粧の必要に応じて中キャップ部材３１を直接把持し、貯液容器１０に接続する螺着した容器の口を回転させて、図４に開示するようにブラシ軸部材２０全体を容器の口の外部に向かって引き出す。即ち、よく見られる一般的なマスカラブラシ、アイシャドー、またはリップグロスブラシなどの化粧具として使用するスタイルである。ブラシ軸部材２０の底端部に設けた綿ブラシ頭部２１に貯液容器１０内の化粧料を付着させるのに便利であって、かつ細かい化粧のための操作が得られる。使用後は、ブラシ軸部材２０を再度容器内に挿入して戻し、中キャップ部材３１を容器の開口部に螺着することで化粧具全体の安全な収納と貯蔵を達成することができる。
【００１２】
別途、外側に早急な化粧直しを必要とする場合、もしくはリップグロス、又はリップクリームなどの化粧に使用する場合は、外キャップ３０を開放して取り外して挿入した位置にするだけで、図５に開示する組み立て状態とすることができ、チューブ式の貯液容器１０外部を押圧することで、押圧による内部の圧力で収納した化粧料が流動して容器の口側に押し出され、容器全体を直接口部が下に向く方式にすることで、化粧料自身の重量と、これに押圧が加わり、容易に化粧料がブラシ軸部材２０の上半部に予め設けられブラシ軸部材２０を貫通する凹溝孔２２から押し出される。押圧によって力が加えられて孔内部に高い圧力が形成され、閉塞する転動体２３が押されて弾性体２４を圧縮して押上げ、化粧料が押し出され、外側に設けられた綿ヘッド部材２７を経て、位置決め部材２５の中央の流動ガイド孔２６をガイドとして綿ヘッドの部分に至る。使用者は、中キャップ部材３１を把持するだけで、綿ヘッドで直接化粧料を塗布する操作に使用することができ、別の簡易で便利な化粧への使用を達成することができる。
【００１３】
この考案の化粧容器の構造の設計上の改良は、次の特色を具える。即ち、チューブ式の貯液容器１０に、容器口の箇所に設けた硬質で管状の中キャップ部材３１を組み合わせる構造と、同時にＴ字状のブラシ軸部材２０を挿入セットとし、かつブラシ軸部材２０のＴ字状の上端に凹状で階段状の凹溝孔２２を予め設け、孔部底端はブラシ軸部材２０の上半部の外周面に延伸して連通する。また、凹溝孔２２の、階段状の孔部の内部には、予め弾性体２４と転動体２３を設けて共同で簡易な様式のバルブを構成して凹溝孔２２と貯液容器２０内部の連通、開閉を制御し、かつブラシ軸部材２０のＴ字状の上端の凹状口部端内には、これに合わせて綿ヘッド部材２７を挿設し、綿ヘッド部材２７の底部に挿設して固定した流動ガイド孔２６を具える位置決め部材於２５を相対的に挿設することによって、化粧料が押圧を受けて押し出され、ブラシ軸部材２０の外部上端の綿ヘッド部材２７にガイドされて流れ、直接塗布する化粧への使用に提供されて簡易で便利な化粧への使用を達成する。使用した後は、外キャップ３０を被せると、内部の凸起する栓軸部材３２が流動ガイド孔２６の出口端から直接挿入されて閉塞する。よって、予期せず押圧を受けて貯液容器１０が過大に変形して比較的大きな内部圧力が発生し、内設したバルブが予期せず開放されることを防ぐ。液状化粧料が外部に溢れる場合は押されて流動ガイド孔２６の箇所に至るが、出口端が閉塞しているので、溢れ出るという状況は発生しなく、極めて安全な使用と貯蔵、放出が得られる。この外キャップ３０を被せると挿入されて閉塞する設計によって、ブラシ軸部材２０全体の内部に形成した凹溝孔２２の内部は、ペースト状の化粧料を充填した場合でも、直接図６、７に開示する構造に設定することができる。即ち、凹溝孔２２内部中央を直接流動ガイド孔２６が延伸し、綿ヘッド部材２７を挿入する上半部の箇所に至るまで延伸する。孔内部には別途バルブ構造を設ける必要がなく、上端の栓軸部材３２を挿入して化粧料の流れ出る口部端を閉塞することで化粧料が溢れ出ることのない安全な収納効果が得られ、化粧具全体の確実な安全を得るという効果を達成する。よって、この考案による化粧容器の構造の考案は、一般的な、伝統的な付着式の化粧用の綿ブラシ頭部２１を化粧に用いることを維持するのみならず、さらに便利な綿ヘッド部材２７を直接塗布する化粧への使用に提供する。よって異なる化粧ユニットを兼ね備え選択に供すという利便性を有し、化粧具全体が全方位に近い多元的な化粧への取り出しの需要への符合を確実に達成する。その構造の創作的な新しい設計を採用したことは、確かに化粧容器の構造の全く新しい設計であって、さらに、実用的で利便性を有し、創作性のある改良の考案である。
【符号の説明】
【００１４】
１０    貯液容器
１１    擦り落とし部材
２０    ブラシ軸部材
２１    綿ブラシ頭部
２２    凹溝孔
２３    転動体
２４    転動体
２５    位置決め部材
２６    流動ガイド孔
２７    綿ヘッド部材
３０    中キャップ部材
３１    外キャップ
３２    栓軸部材
【図１】
0003213878.tif 000003
【図２】
0003213878.tif 000004
【図３】
0003213878.tif 000005
【図４】
0003213878.tif 000006
【図５】
0003213878.tif 000007
【図６】
0003213878.tif 000008
【図７】
0003213878.tif 000009